(57)【要約】【課題】  高い保温性を発揮する上掛け用寝具の提供【解決手段】  上掛け用寝具１は、上部に形成される衿部Ｂ１及び衿部の下部に形成される本体部Ｂ３を有している。上掛け用寝具１の使用時において、衿部Ｂ１は、人の肩から首を覆うドーム形状を形成する。また、本体部Ｂ３は、胸から下を覆うドーム形状を形成する。上掛け用寝具１は、所定の位置に第１の分割線Ｌ１、第２の分割線Ｌ２、第３の分割Ｌ３、第４の分割線Ｌ４、及び第５の分割線Ｌ５を有している。第２の分割線Ｌ２によって、上掛け用寝具１によって形成されたドーム形状を支えられる。これにより、横臥した人体と、上掛け用寝具１との間に、人体を取り巻く新たな空間を形成し、上掛け用寝具１の保温性を向上する。【選択図】  図１
0003157409.tif 000002
【実用新案登録請求の範囲】
【請求項１】
上縁、下縁、及び左右の側縁を有する上掛け用寝具であって、左右の前記側縁を接続する第１の分割線によって、帯状部及び本体部に分割されている上掛け用寝具において、
前記帯状部は、
前記上縁と前記第１の分割線とを接続する第２の分割線によって分割されており、
前記第２の分割線は、
傾斜していること、
を特徴とする上掛け用寝具。
【請求項２】
請求項１に係る上掛け用寝具において、
前記帯状部は、
当該上掛け用寝具の中心線から左側に位置する前記第２の分割線、及び、当該上掛け用寝具の中心線から右側に位置する前記第２の分割線を有し、
前記中心線から左側に位置する前記第２の分割線は、
左の前記側縁から右の前記側縁に向かって傾斜し、
前記中心線から右側に位置する前記第２の分割線は、
右の前記側縁から左の前記側縁に向かって傾斜すること、
を特徴とする上掛け用寝具。
【請求項３】
請求項２に係る上掛け用寝具において、
前記本体部は、
前記第１の分割線と前記下縁とを接続する第３の分割線、及び、前記第１の分割線と前記下縁とを接続する第４の分割線によって分割されており、
前記第３の分割線は、
前記第３の分割線と前記第１の分割線との交点を、前記第２の分割線と前記第１の分割線との交点より、前記中心線側に有しており、
前記第４の分割線は、
前記第３の分割線と、当該第３の分割線に近い前記側縁との間に位置すること、
を特徴とする上掛け用寝具。
【請求項４】
請求項３に係る上掛け用寝具において、さらに、
前記側縁と前記第４の分割線との間の距離が、当該第４の分割線と前記第３の分割線との間の距離より長いこと、
を特徴とする上掛け用寝具。
【請求項５】
請求項３又は請求項４に係る上掛け用寝具において、
前記本体部は、
前記中心線に垂直な第５の分割線、
を有し、
前記第５の分割線は、
左右の前記側縁を接続し、
前記本体部において前記第３の分割線、前記第４の分割線、及び、前記第５の分割線によって分割されて、形成された領域は、
前記中心線に沿う長さが、前記中心線に垂直な長さよりも長いこと、
を特徴とする上掛け用寝具。
【考案の詳細な説明】
【技術分野】
【０００１】
本考案は、上掛け用寝具に関し、特に、高い保温性を発揮するものに関する。
【背景技術】
【０００２】
従来の上掛け用寝具である掛け布団１００について図７を用いて説明する。掛け布団１００では、上下の縦仕切布１０３、１０４は、縦方向の端面より見たとき、Ｗ字状に対称的に接合され、上下の側地１０１、１０２との間に、断面略二等辺三角型状の小室ａｌ００を２個ずつ形成し、上下の縦仕切布１０３、１０４間に、断面略菱形状の小室ａ２００を１個形成し、これらの小室ａｌ００、ａ２００は、横仕切布１０５、１０６、１０７で、縦方向の４等分位置で仕切られる。この構成によって、小室の区画密度は、横幅方向の両側よりも中央部が高くなる。
【０００３】
このように、掛け布団１００によれば、横臥状態の人体に接触する横幅方向中央部が、両側よりも多石室構造に仕切ってあるため、中綿材料の移動及び片寄りを少なくし、保温性を高めることができる。
【先行技術文献】
【特許文献】
【０００４】
【特許文献１】特開平１−２５６９９３号公報
【考案の概要】
【考案が解決しようとする課題】
【０００５】
前述の掛け布団１００には、以下に示すような改善すべき点がある。掛け布団１００では、中綿材料の移動及び片寄りを少なくすることによって保温性を高めている。しかし、より保温性を高めるためには、掛け布団１００と横臥状態の人体との間に空間を形成することが必要である。掛け布団１００と横臥状態の人体との空間を形成することによって、空間の空気が暖められ、結果的に掛け布団１００の保温性を向上させることができるからである。しかし、掛け布団１００では、図８に示すように、人の上に掛け布団１００をかけた場合、掛け布団１００は、人体Ｍの外形に沿った形状となる。このため、掛け布団１００と横臥状態の人体との間に空間を形成することができない。つまり、掛け布団１００には、十分に保温性を高めることができていない、という改善すべき点がある。
【０００６】
そこで、本考案は、高い保温性を発揮する上掛け用寝具を提供することを目的とする。
【考案の効果】
【０００７】
本考案における課題を解決するための手段及び考案の効果を以下に示す。
【０００８】
本考案に係る上掛け用寝具は、上縁、下縁、及び左右の側縁を有する上掛け用寝具であって、左右の前記側縁を接続する第１の分割線によって、帯状部及び本体部に分割されている上掛け用寝具において、前記帯状部は、前記上縁と前記第１の分割線とを接続する第２の分割線によって分割されており、前記第２の分割線は、傾斜していること、を特徴とする。
【０００９】
これにより、上掛け用寝具を使用時に、本体部において、横臥状態の人体によって形成されるドーム形状を維持することができる。よって、上掛け用寝具の保温性を向上させることができる。
【００１０】
本考案に係る上掛け用寝具では、前記帯状部は、当該上掛け用寝具の中心線から左側に位置する前記第２の分割線、及び、当該上掛け用寝具の中心線から右側に位置する前記第２の分割線を有し、前記中心線から左側に位置する前記第２の分割線は、左の前記側縁から右の前記側縁に向かって傾斜し、前記中心線から右側に位置する前記第２の分割線は、右の前記側縁から左の前記側縁に向かって傾斜すること、を特徴とする。
【００１１】
これにより、上掛け用寝具を使用時に、本体部において、横臥状態の人体によって形成されるドーム形状を、左右から支えることによって、維持することができる。よって、上掛け用寝具の保温性を向上させることができる。
【００１２】
本考案に係る上掛け用寝具では、前記本体部は、前記第１の分割線と前記下縁とを接続する第３の分割線、及び、前記第１の分割線と前記下縁とを接続する第４の分割線によって分割されており、前記第３の分割線は、前記第３の分割線と前記第１の分割線との交点を、前記第２の分割線と前記第１の分割線との交点より、前記中心線側に有しており、前記第４の分割線は、前記第３の分割線と、当該第３の分割線に近い前記側縁との間に位置すること、を特徴とする。
【００１３】
これにより、上掛け用寝具を使用時に、本体部において、第３の分割線及び第４の分割線によって分割された領域に形成されるドーム形状を、第２の分割線によって左右から支えることができる。よって、上掛け用寝具を使用時に、本体部のドーム形状を維持することができる。よって、上掛け用寝具の保温性を向上させることができる。
【００１４】
本考案に係る上掛け用寝具では、さらに、前記側縁と前記第４の分割線との間の距離が、当該第４の分割線と前記第３の分割線との間の距離より長いこと、を特徴とする。
【００１５】
これにより、第４の分割線と側縁とによって、上掛け用寝具の周縁部に大きな領域を形成することができる。したがって、上掛け用寝具の充填物を均一に充填した場合、周縁部を重くすることができる。よって、使用時に使用者が寝返り等の動作を行ったとしても、周縁部に形成された領域によって上掛け用寝具を固定することができるので、上掛け用寝具の保温性を向上させることができる。
【００１６】
本考案に係る上掛け用寝具では、前記本体部は、前記中心線に垂直な第５の分割線、を有し、前記第５の分割線は、左右の前記側縁を接続し、前記本体部において前記第３の分割線、前記第４の分割線、及び、前記第５の分割線によって分割されて、形成された領域は、前記中心線に沿う長さが、前記中心線に垂直な長さよりも長いこと、を特徴とする。
【００１７】
これにより、本体部において、各分割線により分割されることによって形成される領域を、中心線に沿って長辺が配置される長方形形状とすることができる。よって、人体の形状にように縦方向を長くすることができ、より人の体に沿ったドーム形状を形成することができる。
【図面の簡単な説明】
【００１８】
【図１】本考案に係る上掛け用寝具１の使用時における外観図を概略的に示した図である。
【図２】上掛け用寝具１を上から見た時の概略図である。
【図３】上掛け用寝具１の保温効果を説明するための図である。
【図４】上掛け用寝具１における各寸法を示す表である。
【図５】本発明に係る上掛け用寝具の他の実施形態を示す図である。
【図６】他の実施例における上掛け用寝具の各寸法を示す表である。
【図７】従来の上掛け用寝具を示す図である。
【図８】従来の上掛け用寝具を示す図である。
【考案を実施するための形態】
【００１９】
以下、本発明の実施例について、図面を参照しながら詳細に説明していく。
【実施例１】
【００２０】
本考案に係る上掛け用寝具１の使用時における外観図を概略的に示した図を図１に示す。上掛け用寝具１は、いわゆる羽毛の掛け布団である。上掛け用寝具１は、上縁Ｕ１、下縁Ｄ１、左の側縁（左側縁）ＬＳ１、右の側縁（右側縁）ＲＳ１を有する長方形形状を有している。
【００２１】
上掛け用寝具１は、上部に形成される帯状部である衿部Ｂ１及び衿部の下部に形成される本体部Ｂ３を有している。上掛け用寝具１の使用時において、衿部Ｂ１は、人の肩から首を覆うドーム形状を形成する。また、本体部Ｂ３は、胸から下を覆うドーム形状を形成する。上掛け用寝具１は、所定の位置に第１の分割線Ｌ１、第２の分割線Ｌ２、第３の分割Ｌ３、第４の分割線Ｌ４、及び第５の分割線Ｌ５を有している。
【００２２】
なお、上掛け用寝具１は、図５に示す従来の掛け布団と同様に、下部側地の上にマチテープを所定の位置に配置した後、その上に上部側地を配置する。そして、上下の側地の周縁、及び、上下の側地とマチテープとを、縦横方向に格子状に連続して接着縫製する。この接着縫製手段としては、例えば高周波溶着ミシンによって連続して接着縫製する。なお、第１の分割線Ｌ１〜第５の分割線Ｌ５は、上下の側地にマチテープを圧着縫製した際に上下の側地に現れる縫製線に対応する。
【００２３】
上掛け用寝具１を上から見た時の概略図を図２に示す。図２においては、各分割線によって分割された領域（後述）を示す符号を、便宜上、［］内に記述している。なお、上掛け用寝具１は、一人用の寝具、いわゆるシングルサイズの寝具であり、横の長さａが約１５０ｃｍ、縦の長さｂが約２１０ｃｍである。
【００２４】
第１の分割線Ｌ１は、左側縁ＬＳ１と右側縁ＲＳ１を接続するように配置されている。第１の分割線Ｌ１は、上縁Ｕ１から第１の分割線Ｌ１までの長さｂ１が、縦の長さｂに対して１：５となる位置に形成される。上掛け用寝具１は、第１の分割線Ｌ１によって２つに分割され、衿部Ｂ１及び本体部Ｂ３が形成される。
【００２５】
第２の分割線Ｌ２は、上掛け用寝具１の中心線Ｃより左側に位置する第２の分割線Ｌ２−１、及び、上掛け用寝具１の中心線Ｃより右側に位置する第２の分割線Ｌ２−２によって構成されている。第２の分割線Ｌ２−１、Ｌ２−２は、上縁Ｕ１と第１の分割線Ｌ１とを接続するように配置されている。第２の分割線Ｌ２−１は、第１の分割線Ｌ１に対する垂線ｎ１から左回りに角度θだけ、左側縁ＬＳ１から右側縁ＲＳ１に向かって傾斜している。同様に、第２の分割線Ｌ２−２は、第１の分割線Ｌ１に対する垂線ｎ２から右回りに角度θだけ、右側縁ＲＳ１から左側縁ＬＳ１に向かって傾斜している。
【００２６】
これにより、衿部Ｂ１は、３つ分割され、台形状の左衿領域Ｂ１Ｌ、右衿領域Ｂ１Ｒ、及び、等脚台形状の衿部ドーム形成領域Ｂ１Ｃが形成される。なお、角度θは、２５度としている。
【００２７】
第２の分割線Ｌ２−１は、上縁Ｕ１において、左側縁ＬＳ１から第１の分割線Ｌ２−１までの長さａ１が、横の長さａに対して１：４となる位置と、下縁Ｄ１において、左側縁ＬＳ１から第１の分割線Ｌ２−１までの長さａ４が、横の長さａに対して３：８となる位置とを、接続するように形成される。第２の分割線Ｌ２−２は、上縁Ｕ１において、右側縁ＲＳ１から第１の分割線Ｌ２−２までの長さａ３が、横の長さａに対して１：４となる位置と、下縁Ｄ１において、右側縁ＲＳ１から第１の分割線Ｌ２−２までの長さａ６が、横の長さａに対して３：８となる位置とを、接続するように形成される。
【００２８】
したがって、衿部ドーム形成領域Ｂ１Ｃに属する上縁Ｕ１の長さａ２は、横の長さａに対して１：２となる。また、衿部ドーム形成領域Ｂ１Ｃに属する下縁Ｄ１の長さａ５は、横の長さａに対して１：４となる。
【００２９】
第３の分割線Ｌ３は、上掛け用寝具１の中心線Ｃより左側に位置する第３の分割線Ｌ３−１、及び、上掛け用寝具１の中心線Ｃより右側に位置する第３の分割線Ｌ３−２によって構成されている。第３の分割線Ｌ３−１、Ｌ３−２は、第１の分割線Ｌ１と下縁Ｄ１とを接続するように配置されている。また、第３の分割線Ｌ３−１と第１の分割線Ｌ１との交点Ｘ２が、第２の分割線Ｌ２−１と第１の分割線Ｌ１との交点Ｘ１より、中心線Ｃ側にある。また、第３の分割線Ｌ３−２と第１の分割線Ｌ１との交点Ｘ３が、第２の分割線Ｌ２−２と第１の分割線Ｌ１との交点Ｘ４より、中心線Ｃ側にある。
【００３０】
第３の分割線Ｌ３−１は、第１の分割線Ｌ１において、左側縁ＬＳ１から第３の分割線Ｌ３−１までの長さａ７＋ａ８が、横の長さａに対して２．５：６となる位置から、左側縁ＬＳ１と平行に下縁Ｄ１まで形成される。第３の分割線Ｌ３−２は、第１の分割線Ｌ１において、右側縁ＲＳ１から第３の分割線Ｌ３−２までの長さａ１０＋ａ１１が、横の長さａに対して２．５：６となる位置から、右側縁ＲＳ１と平行に下縁Ｄ１まで形成される。これにより、第３の分割Ｌ３−１、Ｌ３−２の間の長さａ９は、横の長さａに対して１：６となる。
【００３１】
第４の分割線Ｌ４は、上掛け用寝具１の中心線Ｃより左側に位置する第４の分割線Ｌ４−１、及び、上掛け用寝具１の中心線Ｃより右側に位置する第４の分割線Ｌ４−２によって構成されている。第４の分割線Ｌ４−１、Ｌ４−２は、第１の分割線Ｌ１と下縁Ｄ１とを接続するように配置されている。
【００３２】
第４の分割線Ｌ４−１は、第３の分割線Ｌ３−１と、第３の分割線Ｌ３−１に近い側縁である左側縁ＬＳ１との間に位置し、左側縁ＬＳ１と第４の分割線Ｌ４−１との間の距離ａ７が、第４の分割線Ｌ４−１と第３の分割線Ｌ３−１との間の距離ａ８より長くなるように配置されている。第４の分割線Ｌ４−２についても同様である。
【００３３】
第４の分割線Ｌ４−１は、左側縁ＬＳ１から第４の分割線Ｌ４−１までの長さａ７が、第４の分割線Ｌ４−１から第３の分割線Ｌ３−１までの長さａ８に対して１．５：１となる位置から、左側縁ＬＳ１と平行に下縁Ｄ１まで形成される。第４の分割線Ｌ４−２についても同様である。
【００３４】
本体部Ｂ３は、第４の分割線Ｌ４−１、Ｌ４−２によって３つに分割され、本体ドーム形成領域Ｂ３Ｃ、左固定領域Ｂ３Ｌ及び右固定領域Ｂ３Ｒが形成される。なお、左固定領域Ｂ３Ｌ、本体ドーム形成領域Ｂ３Ｃ及び右固定領域Ｂ３Ｒのそれぞれの横方向の長さａ７、ａ８＋ａ９＋ａ１０、ａ１１は、１．５：３：１．５となる。
【００３５】
本体ドーム形成領域Ｂ３Ｃは、第３の分割線Ｌ３ー１、Ｌ３ー２によって３つに分割され、中心線Ｃより左側に位置する左ドーム形成領域Ｂ３ＣＬ、中心線Ｃより右側に位置する右ドーム形成領域Ｂ３ＣＲ、及び中心線Ｃを跨って位置する中央ドーム形成領域Ｂ３ＣＣが形成される。左ドーム形成領域Ｂ３ＣＬ、右ドーム形成領域Ｂ３ＣＲ、及び中央ドーム形成領域Ｂ３ＣＣによって、本体部Ｂ３にドーム形状を形成する。具体的には、中央ドーム形成領域Ｂ３ＣＣがドーム形状の天井部分を形成し、左ドーム形成領域Ｂ３ＣＬ、右ドーム形成領域Ｂ３ＣＲが中央ドーム形成領域Ｂ３ＣＣを左右から支える。これにより、本体部Ｂ３に、台形状のドーム形状を形成する。なお、左ドーム形成領域Ｂ３ＣＬ、中央ドーム形成領域Ｂ３ＣＣ及び右ドーム形成領域Ｂ３ＣＲのそれぞれの横方向の長さａ８、ａ９、ａ１０は、１：１：１となる。
【００３６】
結局、左固定領域Ｂ３Ｌ、左ドーム形成領域Ｂ３ＣＬ、中央ドーム形成領域Ｂ３ＣＣ、右ドーム形成領域Ｂ３ＣＲ、及び右固定領域Ｂ３Ｒのそれぞれの長さａ７、ａ８、ａ９、ａ１０、ａ１１は、１．５：１：１：１：１．５となる。
【００３７】
第５の分割線Ｌ５は、上縁Ｕ１側に位置する第５の分割線Ｌ５−１、及び、下縁Ｄ１側に位置する第５の分割線Ｌ５−２によって構成されている。第５の分割線Ｌ５−１、Ｌ５−２は、左側縁ＬＳ１と右側縁ＲＳ１とを接続するように配置されている。
【００３８】
第５の分割線Ｌ５−１、Ｌ５−２は、本体部Ｂ３の中心線Ｃに沿った長さを３等分する位置に配置される。つまり、第１の分割線から第５の分割線Ｌ５−１までの距離ｂ２、第５の分割線Ｌ５−１から第５の分割線Ｌ５−２までの距離ｂ３、第５の分割線Ｌ５−２から下縁Ｄ１までの距離ｂ４が、互いに等しい。
【００３９】
本体部Ｂ３において第３の分割線Ｌ３−１、Ｌ３−２、第４の分割線Ｌ４−１、Ｌ４−２、及び、第５の分割線Ｌ５−１、Ｌ５−１によって分割されて、形成された領域Ｂ３Ｌ１〜Ｂ３Ｌ３、Ｂ３Ｃ１〜Ｂ３Ｃ９、Ｂ３Ｒ１〜Ｂ３Ｒ３は、中心線Ｃに沿う長さが、中心線Ｃに垂直な長さよりも長い。例えば、領域Ｂ３Ｒ３では、中心線Ｃに沿う長さｂ４が、中心線Ｃに垂直な長さａ１１よりも長い。これにより、領域Ｂ３Ｌ１〜Ｂ３Ｌ３、Ｂ３Ｃ１〜Ｂ３Ｃ９、Ｂ３Ｒ１〜Ｂ３Ｒ３は、中心線Ｃに沿って長辺が配置される長方形形状となる。
【００４０】
前述のように、第２の分割線Ｌ２−１を、ドーム形状を形成する本体ドーム形成領域Ｂ３Ｃの第１の分割線Ｌ１において、第３の分割線Ｌ３−１と第１の分割線Ｌ１との交点Ｘ２が第２の分割線Ｌ２−１と第１の分割線Ｌ１との交点Ｘ１より中心線Ｃ側となるように配置し、また、第３の分割線Ｌ３−２と第１の分割線Ｌ１との交点Ｘ３が第２の分割線Ｌ２−２と第１の分割線Ｌ１との交点Ｘ４より中心線Ｃ側となるように配置することによって、上掛け用寝具１の保温性を向上させることができる。
【００４１】
上掛け用寝具１において保温性が向上する理由を以下において説明する。図３にドーム形状を形成した際の第１の分割線Ｌ１における断面の概略を示す。人が横臥し上掛け用寝具１を上からかけた場合、領域［Ｂ３Ｃ１］における第１の分割Ｌ１［Ｂ３Ｃ１］及び領域［Ｂ３Ｃ３］における第１の分割Ｌ１［Ｂ３Ｃ３］が直線上となった台形状のドーム形状ＤＳ１（第１ドーム形状ＤＳ１）が形成される。その後、領域［Ｂ３Ｃ２］の重みや充填物の弾力によって、領域「Ｂ３Ｃ２」  が下方（矢印Ａ１方向）に移動する。このとき、第２の分割線Ｌ２−１、Ｌ２−２が、支えとなって、領域［Ｂ３Ｃ１］における第１の分割Ｌ１［Ｂ３Ｃ１］及び領域［Ｂ３Ｃ３］における第１の分割Ｌ１［Ｂ３Ｃ３］が完全に屈折することを防止する。そして、ドーム形状が崩れようとする力と第２の分割線Ｌ２−１、Ｌ２−２によってドーム形状を支えようとする力とがバランスする位置で、図３に点線で示した多角形状のドーム形状ＤＳ２(第２ドーム形状ＤＳ２)が形成される。
【００４２】
図３から明らかなように、第２ドーム形状ＤＳ２では、第１ドーム形状ＤＳ１に比べて、第１ドーム形状ＤＳ１における領域［Ｂ３Ｃ１］における第１の分割Ｌ１［Ｂ３Ｃ１］及び領域［Ｂ３Ｃ３］における第１の分割Ｌ１［Ｂ３Ｃ３］のそれぞれの上方に、空間Ｓ１、Ｓ２が形成される。このように、横臥した人体Ｍと、上掛け用寝具１との間に、人体Ｍを取り巻く新たな空間Ｓ１、Ｓ２を形成することによって、上掛け用寝具１の保温性を向上するもの考えられる。
【００４３】
また、左固定領域Ｂ３Ｌ、左ドーム形成領域Ｂ３ＣＬ、中央ドーム形成領域Ｂ３ＣＣ、右ドーム形成領域Ｂ３ＣＲ、及び右固定領域Ｂ３Ｒのそれぞれの長さａ７、ａ８、ａ９、ａ１０、ａ１１は、１．５：１：１：１：１．５とすることによって、第４の分割線Ｌ４−１、Ｌ４−２とそれぞれに近い側縁ＬＳ１、ＲＳ１とによって、上掛け用寝具の周縁部に大きな領域である左固定領域Ｂ３Ｌ及び右固定領域Ｂ３Ｒを形成することができる。したがって、上掛け用寝具の充填物を均一に充填した場合、周縁部を重くすることができる。よって、使用時に使用者が寝返り等の動作を行ったとしても、周縁部に形成された左固定領域Ｂ３Ｌ及び右固定領域Ｂ３Ｒによって上掛け用寝具を固定することができるので、上掛け用寝具の保温性を向上させることができる。
【００４４】
さらに、領域Ｂ３Ｌ１〜Ｂ３Ｌ３、Ｂ３Ｃ１〜Ｂ３Ｃ９、Ｂ３Ｒ１〜Ｂ３Ｒ３は、中心線Ｃに沿って長辺が配置される長方形形状としているので、人体の形状にように縦方向を長くすることができ、より人の体に沿ったドーム形状を形成することができる。
【００４５】
最後に、本実施例における寸法を図４に示す。
【００４６】
［その他の実施例］
（１）上掛け用寝具の形状  ：  前述の実施例１においては、上掛け用寝具１は、一人用サイズ、いわゆるシングルサイズの寝具であるが、上掛け用寝具であれば例示のものに限定されない。例えば、ダブルサイズ、クイーンサイズ、キングサイズであってもよい。ダブルサイズの場合、例えば、図５に示すように、各分割線を形成すればよい。また、ダブルサイズにおける寸法例を図６に示す。
【００４７】
（２）第２の分割線の傾斜角  ：  前述の実施例１においては、第２の分割線Ｌ２は、上縁Ｕ１に対して２５度の傾斜角θを有しているとしたが、上縁Ｕ１に対して傾斜しているものであれば、例示のものに限定されない。
【００４８】
（３）各分割線の数  ：  前述の実施例１においては、第２の分割線Ｌ２は２本としてが、例示のものに限定されない。例えば、第２の分割線Ｌ２を２本ずつ組にして、４本設けるようにしてもよい。
【符号の説明】
【００４９】
１・・・・・上掛け用寝具
Ｂ１・・・・・衿部
Ｂ３・・・・・本体部
Ｌ１・・・・・第１の分割線
Ｌ２・・・・・第２の分割線
Ｌ３・・・・・第３の分割線
Ｌ４・・・・・第４の分割線
Ｌ５・・・・・第５の分割線
Ｂ３Ｃ・・・・・本体ドーム形成領域
Ｂ３Ｌ・・・・・左固定領域
Ｂ３Ｒ・・・・・右固定領域
【図１】
0003157409.tif 000003
【図２】
0003157409.tif 000004
【図３】
0003157409.tif 000005
【図４】
0003157409.tif 000006
【図５】
0003157409.tif 000007
【図６】
0003157409.tif 000008
【図７】
0003157409.tif 000009
【図８】
0003157409.tif 000010